(57)【特許請求の範囲】
【請求項１】
ジエチルトルアミドを殻体内に内包したマイクロカプセル体と、平均粒径が１０μｍ以下であるアミン化合物からなる消臭剤とが、ガラス転移点が−３０℃以下であるバインダー樹脂により、繊維敷物を構成する糸に固着されてなることを特徴とする消臭機能と防虫機能を併有するペット用繊維敷物。
【請求項２】
ジエチルトルアミドを殻体内に内包したマイクロカプセル体と、平均粒径が１０μｍ以下であるアミン化合物および無機物質よりなる消臭剤とが、ガラス転移点が−３０℃以下であるバインダー樹脂により、繊維敷物を構成する糸に固着されてなることを特徴とする消臭機能と防虫機能を併有するペット用繊維敷物。
【請求項３】
前記マイクロカプセル体が、その殻体内に前記ジエチルトルアミドに加えて、可塑剤、テルペノイド類及びテルペノイド類誘導体からなる群より選ばれる１種または２種以上のキャリア剤を内包してなる請求項１または２に記載の消臭機能と防虫機能を併有するペット用繊維敷物。
【請求項４】
前記マイクロカプセル体におけるジエチルトルアミド／キャリア剤の混合比率が重量比で５／１〜５／５の範囲である請求項３に記載の消臭機能と防虫機能を併有するペット用繊維敷物。
【請求項５】
前記アミン化合物が、水に対する溶解度が２５℃において５ｇ／Ｌ以下であるヒドラジン誘導体からなる群より選ばれる１種または２種以上の化合物である請求項１〜４のいずれか１項に記載の消臭機能と防虫機能を併有するペット用繊維敷物。
【請求項６】
前記バインダー樹脂１００重量部に対して、ジエチルトルアミドの含有量が５〜５０重量部であり、消臭剤の含有量が２０〜５００重量部である請求項１〜５のいずれか１項に記載の消臭機能と防虫機能を併有するペット用繊維敷物。
【請求項７】
前記ジエチルトルアミドが０．１〜１５ｇ／ｍ2 の割合で付与され、かつ前記消臭剤が５〜３０ｇ／ｍ2 の割合で付与されてなる請求項１〜６のいずれか１項に記載の消臭機能と防虫機能を併有するペット用繊維敷物。
【請求項８】
前記マイクロカプセル体に内包される組成物の構成成分として共力剤が含有されている請求項３〜７のいずれか１項に記載の消臭機能と防虫機能を併有するペット用繊維敷物。
【請求項９】
前記共力剤がピペロニルブトキサイドである請求項８に記載の消臭機能と防虫機能を併有するペット用繊維敷物。
【請求項１０】
ジエチルトルアミドを殻体内に内包したマイクロカプセル体と、
平均粒径が１０μｍ以下であるアミン化合物からなる消臭剤と、
ガラス転移点が−３０℃以下であるバインダー樹脂とからなる機能性組成物を含有してなる処理剤で繊維敷物の処理を行い、該機能性組成物を繊維敷物を構成する糸に固着させることを特徴とする消臭機能と防虫機能を併有するペット用繊維敷物の製造方法。
【請求項１１】
前記消臭剤として、アミン化合物と共に無機物質を併用する請求項１０に記載の消臭機能と防虫機能を併有するペット用繊維敷物の製造方法。
【請求項１２】
前記処理剤による繊維敷物の処理をスプレー法により行う請求項１０または１１に記載の消臭機能と防虫機能を併有するペット用繊維敷物の製造方法。
【発明の詳細な説明】
【０００１】
【発明の属する技術分野】
この発明は、例えば室内用として好適に用いられる犬、猫等のペット用繊維敷物、更に詳しくは、優れた消臭機能および優れた防虫機能を兼備すると共に、その効果の持続性に優れたペット用繊維敷物及びその製造方法に関する。
【０００２】
【従来の技術】
家屋内、特に室内でペットを飼育する場合、ペットの排泄物等により悪臭が生じること、更にはペットにノミ、ダニ類、蚊、アブ等の害虫が寄生するために非衛生的であり人の生活住環境が悪化することが問題となっている。
【０００３】
このようなペット飼育により生じる悪臭の問題を解決するものとして、特開平８−７０７２４号公報には動物用シーツにおいて消臭剤として焙煎コーヒー抽出残査を含有せしめた構成を採用することが提案され、また特開昭６２−７４２３０号公報には金属ポルフィリン又は金属ポルフィリンの置換誘導体を担持した消臭繊維からなるペット用消臭シーツが記載されている。
【０００４】
一方、ノミ、ダニ類、蚊、アブ等の害虫の寄生の問題を解決するものとして、例えば特開平８−２９８８８９号公報に記載されている、エンペンスリン等の蒸散性のピレスロイド系防虫剤を含有した造粒物からなる防虫機能を有する動物用排泄物処理材等が公知である。また、このような目的で使用される蒸散性防虫剤としては、その他にイソボニルチオシアノ酢酸等が知られている。
【０００５】
【発明が解決しようとする課題】
ところで、上記前者の例示は、ペット飼育により生じる悪臭の問題を解決するものであり、基本的に防虫機能を有するものではない。一方、上記後者の例示は、ノミ、ダニ類、蚊、アブ等の害虫の寄生の問題を解決するものであり、基本的に消臭機能を有するものではない。即ち、消臭機能と防虫機能を十分に兼ね備えたペット用繊維敷物はこれまでになかった。このように両機能を十分に具備したものがなかったのは、コーヒー液抽出残さ、金属ポルフィリン、金属ポルフィリン誘導体等の消臭剤と、前記蒸散性ピレスロイド系防虫剤、イソボニルチオシアノ酢酸等の蒸散性防虫剤とを、例えばペット用繊維敷物に同時含有せしめた場合、蒸散した防虫剤が消臭剤に吸着されやすく、従って繊維敷物から外に蒸散される防虫剤量は極めて少なくなってしまい防虫剤としての防虫効果は殆ど発揮されなくなる上に、一方消臭剤は蒸散した防虫剤を吸着してしまうためにその消臭性能が低下してしまうこととなり、このように消臭剤と防虫剤とが互いに干渉し合ってその機能を阻害し合うためである。このため、両機能を十分に具備したペット用繊維敷物は、殆ど実用化に至っていないというのが現状である。
【０００６】
この発明は、かかる技術的背景に鑑みてなされたものであって、消臭剤と防虫剤とが互いに干渉し合うことがなく、優れた消臭性能および優れた防虫性能を兼備すると共に、その効果の持続性に優れたペット用繊維敷物及びその製造方法を提供することを目的とする。
【０００７】
【課題を解決するための手段】
上記目的を達成するために、本発明者は鋭意研究の結果、ペット用繊維敷物に付与せしめる防虫剤としてジエチルトルアミドを選択する一方、消臭剤としてアミン化合物を選択することにより、消臭剤と防虫剤とが互いに干渉し合うことがなく、優れた消臭性能および優れた防虫性能を確保できることを見出すに至り、この発明を完成したものである。
【０００８】
即ち、この発明に係る消臭機能と防虫機能を併有するペット用繊維敷物は、ジエチルトルアミドを殻体内に内包したマイクロカプセル体と、平均粒径が１０μｍ以下であるアミン化合物からなる消臭剤とが、ガラス転移点が−３０℃以下であるバインダー樹脂により、繊維敷物を構成する糸に固着されてなることを特徴とするものである。
【０００９】
防虫剤としてジエチルトルアミドを用い、消臭剤としてアミン化合物を用いているから、両剤が互いに干渉し合うことがなく、それ本来の優れた消臭性能および優れた防虫性能が発揮されるものとなる。また、アミン化合物の平均粒径が１０μｍ以下であるから、繊維敷物に触れた際にざらつき感を受けることもなく、かつその風合いを良好なものとなし得る。更に、バインダー樹脂のガラス転移点が−３０℃以下であるので、バインダー樹脂の固着による繊維敷物の硬化が防止され、優れた風合いが確保されるのみならず、繊維敷物の構成糸との固着性にも優れて消臭剤、防虫剤の繊維敷物からの離脱が防止され、消臭性能および防虫性能の持続耐久性に優れたものとなし得る。また、防虫剤であるジエチルトルアミドがマイクロカプセル体内に内包されているから、良好な徐放性能が発揮される。
【００１０】
また、この発明の別の消臭機能と防虫機能を併有するペット用繊維敷物は、ジエチルトルアミドを殻体内に内包したマイクロカプセル体と、平均粒径が１０μｍ以下であるアミン化合物および無機物質よりなる消臭剤とが、ガラス転移点が−３０℃以下であるバインダー樹脂により、繊維敷物を構成する糸に固着されてなることを特徴とするものである。
【００１１】
防虫剤としてジエチルトルアミドを用い、消臭剤としてアミン化合物および無機物質を用いているから、両剤が互いに干渉し合うことがなく、それ本来の優れた消臭性能および優れた防虫性能が発揮されるものとなる。また、消臭剤として無機物質が併用されているから、アミン化合物では除去効率が十分でない例えばアンモニア、酢酸等の臭気の除去も十分になし得る。即ち、アミン化合物と無機物質が相補う形となって、ペットに起因した多種類の臭気の殆どを効率良く除去することが可能となる。また、アミン化合物の平均粒径が１０μｍ以下であるから、繊維敷物に触れた際にざらつき感を受けることもなく、かつその風合いを良好なものとなし得る。更に、バインダー樹脂のガラス転移点が−３０℃以下であるので、バインダー樹脂の固着による繊維敷物の硬化が防止され、優れた風合いが確保されるのみならず、繊維敷物の構成糸との固着性にも優れて消臭剤、防虫剤の繊維敷物からの離脱が防止され、消臭性能および防虫性能の持続耐久性に優れたものとなし得る。また、防虫剤であるジエチルトルアミドがマイクロカプセル体内に内包されているから、良好な徐放性能が発揮される。
【００１２】
上記いずれの発明においても、マイクロカプセル体は、その殻体内に前記ジエチルトルアミドに加えて、可塑剤、テルペノイド類及びテルペノイド類誘導体からなる群より選ばれる１種または２種以上のキャリア剤を内包しているのが、好ましい。このようなキャリア剤の併存により、防虫剤であるジエチルトルアミドの蒸散移行が促進され、ひいては繊維敷物において高い防虫効果が発揮されるものとなる。かつ、キャリア剤の併存によってマイクロカプセル体内における残存ジエチルトルアミド濃度が相当に低い値になるまでジエチルトルアミドを誘導蒸散移行せしめることができるから、その優れた防虫効果が長期間にわたって持続されて、長期にわたって安定した徐放性が確保される。
【００１３】
マイクロカプセル体におけるジエチルトルアミド／キャリア剤の混合比率は重量比で５／１〜５／５の範囲であるのが好ましい。このような範囲内に設定すれば、低コストで一層優れた防虫効果を得ることができる。
【００１４】
また、前記アミン化合物は、水に対する溶解度が２５℃において５ｇ／Ｌ以下であるヒドラジン誘導体からなる群より選ばれる１種または２種以上の化合物であるのが、好ましい。アミン化合物としてヒドラジン誘導体を用いることで消臭性能が一層向上される。更に、水に対する溶解度が２５℃において５ｇ／Ｌ以下であるから、洗濯等の洗浄により水と接触することがあっても、ヒドラジン誘導体がこの水に溶解して流出してしまうことが効果的に防止される。
【００１５】
バインダー樹脂１００重量部に対して、ジエチルトルアミドの含有量は５〜５０重量部であり、消臭剤の含有量は２０〜５００重量部であるのが、好ましい。このような範囲内に設定すれば、バインダー樹脂としての機能を低下させることなく、かつ低コストでより優れた消臭性能及びより優れた防虫性能を得ることができる。
【００１６】
ジエチルトルアミドは０．１〜１５ｇ／ｍ2 の割合で含有され、かつ消臭剤は５〜３０ｇ／ｍ2 の割合で付与されているのが好ましく、この場合にはコストを増大させることなく十分な消臭性能及び十分な防虫性能が確保される。
【００１７】
マイクロカプセル体に内包される組成物の構成成分として更に共力剤が含有されているのが好ましく、これによりジエチルトルアミドの蒸散移行が一段と促進される。
【００１８】
上記共力剤としては、ジエチルトルアミドの蒸散移行の促進効果に特に優れている点で、ピペロニルブトキサイドを用いるのが好ましい。
【００１９】
また、この発明に係る消臭機能と防虫機能を併有するペット用繊維敷物の製造方法は、ジエチルトルアミドを殻体内に内包したマイクロカプセル体と、平均粒径が１０μｍ以下であるアミン化合物からなる消臭剤と、ガラス転移点が−３０℃以下であるバインダー樹脂とからなる機能性組成物を含有してなる処理剤で繊維敷物の処理を行い、該機能性組成物を繊維敷物を構成する糸に固着させることを特徴とするものである。
【００２０】
処理剤中に、特定粒径の特定の消臭剤、特定の防虫剤および特定のバインダー樹脂を含有せしめているから、優れた消臭性能および優れた防虫性能を有すると共に、その効果の持続性に優れ、かつ風合いにも優れた繊維敷物が提供される。そして、この製造方法は、既に繊維敷物形態に構成された敷物に後工程として消臭加工および防虫加工を施すものであり、従っていかなる形態の繊維敷物にも適用し得て、極めて汎用性に優れる。また、消臭加工と防虫加工を別工程で行うものではなく、同時に実施する（１液で処理する）ものであるから、生産性に優れている。このような同時加工が可能となるのは、上述したように消臭剤と防虫剤とが互いに干渉し合うことがなく、この両剤を１液に同時含有せしめることが可能となったことによる。更に、このような加工を施すに際しては、繊維敷物原反に対し、スプレー法、浸漬法などにより、基本的に１回の処理を施すのみで行い得るから、一層生産性を向上できると共に、低コストで消臭、防虫加工を行える利点もある。
【００２１】
処理剤による繊維敷物の処理はスプレー法により行うのが好ましく、これによれば生産性を一段と向上させ得る。
【００２２】
【発明の実施の形態】
図１に、この発明の消臭機能と防虫機能を併有するペット用繊維敷物（１）の一実施形態に係る概略断面図を示す。この実施形態に係る繊維敷物はカーペットであり、表面にパイル層（２）を有するカーペット基材（３）の裏面に裏打ち層（４）が積層一体化されたものであり、パイル層（２）に消臭剤および防虫剤が付与されたものである。
【００２３】
まず、この発明のペット用繊維敷物（１）を構成する糸に固着される消臭剤について説明する。この消臭剤としてはアミン化合物を使用する。該アミン化合物としては、特に限定されないが、ヒドラジン誘導体が好適に用いられる。このようなアミン化合物は、ペットから発せられる臭気に対して優れた消臭性能を発揮する。なお、このようなアミン化合物の水に対する溶解度は２５℃において５ｇ／Ｌ以下であるのが望ましい。水に対する溶解度がこの範囲内である水難溶性のものであれば、洗濯等の洗浄により水と接触することがあっても、アミン化合物がこの水に溶解して流出してしまうことが防止される。従って、消臭性能を長期に亘って持続させることができる。
【００２４】
前記ヒドラジン誘導体としては、例えば、ヒドラジン系化合物と長鎖の脂肪族系化合物とを反応させたもの、或いはヒドラジン系化合物と芳香族系化合物とを反応させたもの等が挙げられる。
【００２５】
中でも、ヒドラジンおよびセミカルバジドからなる群より選ばれる１種または２種の化合物と、炭素数８〜１６のモノカルボン酸、ジカルボン酸、芳香族モノカルボン酸および芳香族ジカルボン酸からなる群より選ばれる１種または２種以上の化合物との反応生成物や、ヒドラジンおよびセミカルバジドからなる群より選ばれる１種または２種の化合物と、炭素数８〜１６のモノグリシジル誘導体およびジグリシジル誘導体からなる群より選ばれる１種または２種以上の化合物との反応生成物が好適である。このようなヒドラジン誘導体を用いれば、一層優れた消臭性能を確保することができる。前記反応生成物としては、具体的には、セバシン酸ジヒドラジド、ドデカン二酸ジヒドラジド、イソフタル酸ジヒドラジドなどが挙げられるが、特にこれら例示の化合物に限定されるものではない。
【００２６】
この発明において、消臭剤としては更に無機物質を併用するのが好ましい。この無機物質を併用することにより、前記アミン化合物の作用と相俟ってペットに起因した多岐にわたる複数種の臭気に対して消臭性能を発揮させることができる。前記無機物質としては、例えば活性アルミナ、酸化チタン、酸化亜鉛、酸化鉄などの表面活性を有する金属酸化物等が挙げられるが、特にこれら例示のものに限定されるものではない。中でも、前記無機物質としては活性アルミナと酸化亜鉛を併用して用いるのが好ましく、この場合において両者の併用比率は、活性アルミナ／酸化亜鉛＝１／４〜４／１の範囲とするのが好ましく、特に好ましくは活性アルミナ／酸化亜鉛＝１／３〜３／１の範囲である。
【００２７】
この発明において、消臭剤として用いられるアミン化合物、無機物質の平均粒径は１０μｍ以下とする必要がある。１０μｍを超えると、繊維敷物（１）に触れた時の触感においてざらつき感を生じるのみならず、敷物の風合いも低下する。中でも、平均粒径は５μｍ以下とするのが好ましく、特に好ましくは３μｍ以下である。
【００２８】
次に、この発明のペット用繊維敷物（１）を構成する糸に固着される防虫剤について説明する。この防虫剤としてはジエチルトルアミドを使用する。このジエチルトルアミドは、前記特定の消臭剤との組み合わせ使用において、両剤が互いに干渉し合うことがないから、それ本来の優れた消臭性能および優れた防虫性能を確保することができるものである。
【００２９】
この発明では、マイクロカプセル体の殻体内に、上記ジエチルトルアミドを内包せしめる。このように防虫剤がマイクロカプセル体内に内包されているから、良好な徐放性能を発揮させることができる。このジエチルトルアミドの作用は、基本的に虫忌避作用であり、ダニ類、蚊、ノミ、アブ等の虫を寄せ付けないという効果を発揮するものであり、従っていわゆる殺虫剤の作用とは異なり、基本的に虫を殺してしまうものではないので、ダニ類等の虫の死骸が繊維敷物に残留するということが防止されるものである。従って、近年大きな問題としてとり挙げられているダニ類等の死骸による人のアレルギー症状の発生も効果的に防止することができる利点もある。もちろん、ペットに対しても良好な生活住環境を提供できるものであることはいうまでもない。
【００３０】
更に、前記マイクロカプセル体の殻体内に、上記ジエチルトルアミドに加えて、可塑剤、テルペノイド類及びテルペノイド類誘導体からなる群より選ばれる１種または２種以上のキャリア剤を内包せしめるのが、好ましい。このようなキャリア剤の併存により、防虫剤であるジエチルトルアミドの蒸散移行を促進させることができ、ひいては繊維敷物において高い防虫効果を発揮させることができる。従って、内包されるジエチルトルアミド量を少量にしても十分な防虫効果を得ることができるので、低コスト化を図ることも可能となる。
【００３１】
前記キャリア剤を共存せしめることによってジエチルトルアミドの蒸散移行を促進させることができるその作用機構については定かではないが、これらキャリア剤が蒸気となってマイクロカプセル体から外に移動する際に、同じくマイクロカプセル体内にあるジエチルトルアミドを積極的に伴って外側に誘導蒸散移行せしめているためと推定される。
【００３２】
更に、マイクロカプセル体内に前記キャリア剤を共存せしめた構成を採用する場合、その優れた防虫効果が長期間にわたって持続されて、長期間安定した徐放性を確保できる利点がある。そもそも、ジエチルトルアミドがマイクロカプセル体内に内包されることで、良好な徐放性が発揮されるわけであるが、ジエチルトルアミドに加えてキャリア剤を共存せしめた系では、キャリア剤を共存させない系と比較して、マイクロカプセル体内における残存ジエチルトルアミド濃度が相当に低くなるところまで、ジエチルトルアミドを誘導蒸散移行せしめることが可能となることに因ると考えられる。即ち、キャリア剤を共存させない系では、マイクロカプセル体内における残存ジエチルトルアミド濃度が比較的高い状態で蒸散移行が緩慢となってその効果が発揮され難くなるのに対し、キャリア剤を共存せしめた系ではマイクロカプセル体内における残存ジエチルトルアミド濃度が相当に低い値になるまでジエチルトルアミドを誘導蒸散移行せしめることができるためと推定される。従って、従来よりも少ない防虫剤含量で、繊維敷物において高い防虫効果が発揮されると共に、その優れた防虫効果が長期にわたって持続されるものとなる。このように、薬効効率（添加した防虫剤の全量のうち、蒸散して薬効に関与することができたものの比率）の高いものとなすことができるものであり、従って低コストで上記優れた諸効果を発揮できるペット用繊維敷物を提供することができる。
【００３３】
前記可塑剤としては、合成樹脂の可塑剤として用いられる公知のものを用いることができ、例えばジ−ｎ−ブチルアジペート、ジ−ｎ−ドデシルアジペート、クエン酸アセトブチル、ドデカン−２−酸ジメチル、マレイン酸ジ−２−エチルヘキシル、セバシン酸ジブチルなどが挙げられる。中でも、ジエチルトルアミドの蒸散移行を一層促進できることから、ジ−ｎ−ブチルアジペート、ジ−ｎ−ドデシルアジペート、クエン酸アセトブチル、ドデカン−２−酸ジメチルを用いるのが好ましい。
【００３４】
前記テルペノイド類、テルペノイド類誘導体としては、特に限定されないが、例えばリモネン、安息香酸ベンジル、ベンジルアルコール、ケイ皮酸アルコール、サリチル酸ベンジルなどが挙げられる。中でも、ジエチルトルアミドの蒸散移行を一層促進できることから、リモネン、安息香酸ベンジル、ベンジルアルコール、サリチル酸ベンジルを用いるのが好ましい。
【００３５】
マイクロカプセル体の殻体内に、ジエチルトルアミドに加えて、上記キャリア剤を内包せしめる構成を採用する場合において、マイクロカプセル体内におけるこれらの混合比率は、ジエチルトルアミド／キャリア剤＝５／１〜５／５（重量比）の範囲とするのが好ましい。キャリア剤の混合比率が上記範囲の下限より小さくなると、ジエチルトルアミドの蒸散移行の促進の効果があまり得られなくなるので、好ましくない。一方、ジエチルトルアミドの混合比率が上記範囲の下限より小さくなると、必要以上に薬効成分以外の量が多くなって徒にコストを増大させるので、好ましくない。中でも、ジエチルトルアミド／キャリア剤＝５／２〜５／３（重量比）の範囲とするのがより好ましい。
【００３６】
更に、上記マイクロカプセル体の殻体内に、ジエチルトルアミド、キャリア剤に加えて、共力剤が含有されているのが好ましい。ここで、共力剤とは、そのも自体は効力を持たないが防虫剤と共存させることでその防虫性能を増大させることが知られている化学物質のことであり、このような共力剤を前記キャリア剤と共に共存せしめることによってジエチルトルアミドの蒸散移行をより一段と促進させることができる利点がある。この共力剤としては、特に限定されないが、例えばピペロニルブトキサイド、イソボニルチオシアノアセテート等が挙げられる。中でも、ピペロニルブトキサイドが特に好適である。この共力剤の混合比率は、キャリア剤１００重量部に対して１００〜３００重量部の範囲とするのが好ましい。
【００３７】
上述の化合物（ジエチルトルアミド、必要に応じてキャリア剤、共力剤等）を水に溶解または分散させた組成物をマイクロカプセル体の内包物とする。なお、この組成物中には、非イオン系界面活性剤などの界面活性剤、増粘剤等の各種添加剤を含有せしめても良い。
【００３８】
前記マイクロカプセル体は、上記組成物を殻体内に内包してなるものであり、該殻体の素材は特に限定されないが、通常、合成樹脂等の高分子材料が用いられる。この殻体を構成する合成樹脂としては、例えばウレタン樹脂、メラミン樹脂、ポリアミド樹脂、尿素樹脂等が挙げられる。中でも、ウレタン樹脂が好適である。
【００３９】
前記マイクロカプセル体は、例えば次のようにして製造することができる。即ち、例えば、上記組成物（耐アルカリ性虫忌避剤、キャリア剤、必要に応じて共力剤、界面活性剤等）と、２価以上の脂肪族系イソシアネートとを十分に混合せしめたものを、増粘剤液に添加し、ホモジナイザーを用いて乳化させ、この乳化液を冷却した後、該乳化液に、水酸基を２個以上有する化合物の水溶液を滴下していき、その後加熱攪拌することによって製造することができる。具体例としては、耐アルカリ性虫忌避剤２５重量部、キャリア剤５重量部、共力剤８重量部、非イオン系界面活性剤３重量部と、ヘキサメチレンジイソシアネート７重量部とを十分に混合せしめたものを、４％増粘剤（カルボキシメチルセルロース）液３０重量部に添加し、ホモジナイザーを用いて乳化させた後、該乳化液を２５〜３０℃に冷却し、この乳化液に、エチレングリコールの２％水溶液２２重量部を滴下して１時間攪拌し、次いで６０℃で３時間攪拌することによって、耐アルカリ性虫忌避剤、キャリア剤、共力剤をウレタン樹脂の殻体内に内包したマイクロカプセル体の分散液を製造することができる。
【００４０】
前記マイクロカプセル体の粒径は、１〜１００μｍの範囲とするのが好ましい。１μｍ未満では虫忌避剤量が少なくなって十分な虫忌避効果が得られ難くなるので好ましくないし、一方１００μｍを超えると虫忌避剤組成物中における虫忌避剤の分散が不均一になりやすいので好ましくない。中でも、マイクロカプセル体の粒径は、２〜１０μｍの範囲とするのがより好ましい。また、殻体の膜厚は、当該マイクロカプセル体の粒径の０．０５〜０．５倍とするのが好ましい。
【００４１】
一方、バインダー樹脂としては、そのガラス転移点（Ｔｇ）が−３０℃以下である樹脂を用いる必要がある。−３０℃より高い場合には、得られる繊維敷物の風合いが著しく低下する。中でも、ガラス転移点（Ｔｇ）が−３５℃以下である樹脂を用いるのが好ましい。
【００４２】
前記バインダー樹脂は、そのガラス転移点（Ｔｇ）が−３０℃以下であればどのような樹脂でも使用することができ、例えば自己架橋型アクリル樹脂、メタアクリル樹脂、ウレタン樹脂、シリコン樹脂、グリオキザール樹脂、酢酸ビニル樹脂、塩化ビニリデン樹脂、ブタジエン樹脂、メラミン樹脂、エポキシ樹脂、アクリル−シリコン共重合体樹脂、エチレン−酢酸ビニル共重合体樹脂、イソブチレン無水マレイン酸共重合体樹脂、エチレン−スチレン−アクリレート−メタアクリレート共重合体樹脂などが挙げられる。これら樹脂を２種類以上混合してバインダー樹脂としても良い。
【００４３】
この発明において、ペット用繊維敷物を構成する糸に固着されるジエチルトルアミド、消臭剤、バインダー樹脂相互の重量比率は、バインダー樹脂１００重量部に対してジエチルトルアミドの含有量を５〜５０重量部とし、かつバインダー樹脂１００重量部に対して消臭剤の含有量を２０〜５００重量部とするのが、好ましい。ジエチルトルアミドの含有量が上記範囲より大きくなると、敷物構成糸との固着性が低下して、ジエチルトルアミド、消臭剤が繊維敷物から離脱しやすくなって防虫性能および消臭性能の持続耐久性が低下する上に、高コストとなるので、好ましくない。消臭剤の含有量が上記範囲より大きい場合も、同様である。一方、ジエチルトルアミドの含有量が上記範囲より小さくなると、防虫性能が低下傾向となるので、好ましくない。また、消臭剤の含有量が上記範囲より小さくなると、消臭性能が低下傾向となるので、好ましくない。中でも、バインダー樹脂１００重量部に対してジエチルトルアミドの含有量を１０〜２５重量部とし、かつバインダー樹脂１００重量部に対して消臭剤の含有量を１５０〜３５０重量部とするのが、より好ましい。
【００４４】
この発明のペット用繊維敷物において、消臭剤の付与量は、５〜３０ｇ／ｍ2 （乾燥重量）とするのが好ましい。５ｇ／ｍ2 未満では十分な消臭性能が得られなくなるので好ましくないし、一方３０ｇ／ｍ2 を超えてもこれ以上の消臭性能の向上は望めず、徒にコストを増大させるので好ましくない。
【００４５】
また、ジエチルトルアミドの付与量は、０．１〜１５ｇ／ｍ2 （乾燥重量）とするのが好ましい。０．１ｇ／ｍ2 未満では十分な防虫性能が得られなくなるので好ましくないし、一方１５ｇ／ｍ2 を超えてもこれ以上の防虫性能の向上は望めず、徒にコストを増大させるので好ましくない。
【００４６】
一方、上記実施形態であるカーペットにおいて、カーペット基材（３）としては、特に限定されるものではなくどのようなものでも使用できる。例えば、ポリエステル繊維、ナイロン繊維、ポリプロピレン繊維、アクリル繊維等の合成繊維、あるいは麻、綿、羊毛等の天然繊維等の繊維からなる糸を製編織した布地の他、各種の繊維や糸を、ニードリング等により機械的に接結したり、あるいは接着剤等により化学的に接結した不織布等を使用できる。
【００４７】
パイル層（２）のパイル素材としては、特に限定されるものではなく、ポリエステル繊維、ナイロン繊維、ポリプロピレン繊維、アクリル繊維、レーヨン繊維等の繊維からなるもの等を好適に使用でき、その他、麻、綿、羊毛等の天然繊維からなるもの等を使用できる。更にパイル層の形成手段も特に限定されるものではなく、例えばモケット等のように経パイル織、緯パイル織等の製織によりパイル層を形成する手段、タフティングマシン等によりパイル糸を植毛してパイル層を形成する手段、編機によりパイル層を形成する手段、接着剤を用いてパイル糸を接着してパイル層を形成する手段等を例示することができる。パイル形態も特に限定されず、カットパイル、ループパイル等いずれの形態であっても良い。
【００４８】
また、裏打ち層（４）の材質としては、特に限定されず、例えば樹脂組成物、ゴム組成物、ジュート、ポリプロピレン織布、ニードルパンチ基布などが挙げられるが、通常は樹脂組成物やゴム組成物が使用される。この樹脂組成物の樹脂成分としては、アクリル系、ウレタン系、ポリ塩化ビニル、ポリエチレン、ポリプロピレン、エチレン−酢酸ビニル共重合体（ＥＶＡ）等の樹脂を挙げることができる。また、ゴム組成物のゴム成分としては、ＳＢＲ（スチレン−ブタジエンゴム）、ＭＢＲ（メチルメタクリレート−ブタジエンゴム）、ＮＢＲ（アクリロニトリル−ブタジエンゴム）、あるいは天然ゴム等が挙げられる。
【００４９】
この発明において、繊維敷物（１）の種類としては特に限定されるものではなく、上記通常のカーペット等の他、例えばマットあるいはタイルカーペット等として構成することができるし、またその他の敷物等として、更には椅子張り用等のモケット等として構成することもできる。また、これらのペット用繊維敷物（１）を構成する糸の素材としては前記同様に特に限定されるものではなく、例えばポリエステル繊維、ナイロン繊維、ポリプロピレン繊維、アクリル繊維、レーヨン繊維等の他、麻、綿、羊毛等の天然繊維等が挙げられる。
【００５０】
この発明に係るペット用繊維敷物（１）は、例えば次のようにして製造することができる。
【００５１】
まず、前記消臭剤と前記マイクロカプセル体と前記バインダー樹脂とからなる機能性組成物を水に分散させた水分散液からなる処理剤を調合する。この時、消臭剤、マイクロカプセル体を可能な限り均一に分散させるのが好ましいことはもちろん、バインダー樹脂については水との間でエマルジョン状態を形成させるのがより好ましい。なお、分散媒としては、水以外にアルコールなども使用し得るが、水が好適である。
【００５２】
また、前記調合の際には、予め先に消臭剤を水に分散させておいてから、これに更にマイクロカプセル体、バインダー樹脂を分散せしめるのが、消臭剤、マイクロカプセル体、バインダー樹脂の３成分を相互により均一に分散させる観点から、好ましい。
【００５３】
また、前記処理剤には、分散剤、増粘剤などの処理剤の特性向上のための各種添加剤を配合しても良い。更に、繊維敷物の諸性質の向上を目的として、抗菌剤、親水化剤、難燃剤等の添加剤を、この発明の効果を妨げない範囲で適宜配合することができる。
【００５４】
このようにして得られる処理剤を用いて繊維敷物の処理を行い、前記機能性組成物を繊維敷物を構成する糸に付与し、固着させる。この付与手段としては、特に限定されるものではないが、例えばスプレー法、泡加工法、浸漬法、コーティンング法、パディング法等が挙げられる。中でも、付与時の作業性、生産効率、加工コスト等の観点から、スプレー法が好適である。
【００５５】
このようにして上記機能性組成物を付与した後に繊維敷物を乾燥させるが、乾燥手段は特に限定されず、風乾により行っても良いし、あるいは加熱処理により行っても良いが、乾燥処理の効率を考慮すると、加熱処理により乾燥させるのが望ましい。
【００５６】
更に、前記加熱処理の温度は、１００〜１８０℃とするのが好ましい。この温度での加熱処理により、前記機能性組成物の繊維敷物への固着性をより高めて、消臭性能および防虫性能の持続耐久性を一段と向上させることができる。
【００５７】
上記のような製造方法によれば、既に繊維敷物形態に構成された敷物に後工程として消臭加工および防虫加工を施すものであるから、いかなる形態の繊維敷物にも適用することができ、極めて汎用性に優れる。また、消臭加工と防虫加工を別工程で行うものではなく、同時に実施する（１液で処理する）ものであるから、生産性に優れている。このような同時加工が可能となるのは、上述したように、本発明で用いる消臭剤と防虫剤とが互いに干渉し合うことがなく、従ってこの両剤を１液に同時含有せしめることが可能となったことによる。更に、このような加工を施すに際し、繊維敷物原反に対し、スプレー法、浸漬法などにより、基本的に１回の処理を施すのみで行い得るから、一層生産性を向上できると共に、低コストで消臭、防虫加工を行える利点もある。
【００５８】
もちろん、例えば前記消臭剤とバインダー樹脂とを水に分散させた処理剤で繊維敷物の処理を行い、次いで前記マイクロカプセル体とバインダー樹脂とを水に分散させた処理剤で該繊維敷物の処理を行うという２段工程製造法でも構わないが、生産性が顕著に低下するので好ましいものではない。
【００５９】
なお、この発明に係るペット用繊維敷物（１）は、上記製造方法で製造されるものに特に限定されるものではなく、例えば、原糸段階で消臭剤および上記マイクロカプセル体をガラス転移点が−３０℃以下であるバインダー樹脂により表面に固着させた原糸を繊維敷物の構成糸として用いて繊維敷物を構成するものとしても良い。
【００６０】
更に、前記機能性組成物をペット用繊維敷物に付与する部位は、特に限定されるものではなく、繊維敷物の全部位に付与する構成を採用しても良いし、繊維敷物の一部に付与する構成を採用することもできる。また、繊維敷物の表面側に付与する構成を採用しても良いし、繊維敷物の裏面側に付与する構成を採用しても良い。ただ、消臭及び防虫効果をより大きく発揮させる観点から、繊維敷物の表面側（例えばパイル層等）に付与する構成を採用するのが望ましい。
【００６１】
【実施例】
次に、この発明の具体的実施例について説明する。
【００６２】
＜使用材料＞
（繊維敷物Ａ）カーペット
カーペット基材…ポリプロピレン繊維の織布
パイル層…ポリエステル繊維からなるパイル糸を基材にタフティングしたもの（パイル目付７００ｇ／ｍ2 ）
裏打ち層…ＳＢＲラテックス
（繊維敷物Ｂ）カーペット
カーペット基材…ポリプロピレン繊維の織布
パイル層…アクリル繊維からなるパイル糸を基材にタフティングしたもの（パイル目付６００ｇ／ｍ2 ）
裏打ち層…ＳＢＲラテックス
（繊維敷物Ｃ）カーペット
カーペット基材…ポリエステル繊維の不織布
パイル層…エステルフィラメント繊維からなるパイル糸を基材にタフティングしたもの（パイル目付７００ｇ／ｍ2 ）
裏打ち層…エチレン−酢酸ビニル共重合体
（繊維敷物Ｄ）モケット
地組織…ポリエステル繊維の織布
パイル層…ポリエステル繊維からなるパイル糸を地組織に織り上げたもの
裏打ち層…アクリル系ラテックス
＜実施例１＞
ジエチルトルアミド２５重量部、ジ−ｎ−ドデシルアジペート５重量部、水６３重量部からなる水性液を、ウレタン樹脂（７重量部）で被覆してマイクロカプセル体Ａを得た。該マイクロカプセル体Ａの平均粒径は、５μｍであった。
【００６３】
一方、平均粒径４μｍのセバシン酸ジヒドラジド１５重量部を７５重量部の水に加えた後、攪拌機により攪拌を行い、分散液を得た。この分散液にさらに１０重量部のアクリル樹脂（バインダー樹脂：Ｔｇが−３７℃）を加え、良く攪拌して均一な分散液を得た。この分散液１００重量部に、更に上記マイクロカプセル体を５重量部添加分散させて、処理剤を得た。この処理液を、繊維敷物Ａに対してスプレー法により処理（１ｍ2 当たり５０ｇをスプレー塗布）行った後、１３０℃で１０分間乾燥を行い、ペット用繊維敷物を得た。この繊維敷物において、消臭剤の付与量（乾燥重量）は７ｇ／ｍ2 であり、ジエチルトルアミドの付与量（乾燥重量）は０．６ｇ／ｍ2 であった。
【００６４】
＜実施例２＞
平均粒径４μｍのセバシン酸ジヒドラジドに代えて、平均粒径２μｍのドデカン二酸ジヒドラジドを用いた以外は、実施例１と同様にしてペット用繊維敷物を得た。
【００６５】
＜実施例３＞
マイクロカプセル体Ａに代えて、表に示す組成からなるマイクロカプセル体Ｂを用いた以外は、実施例１と同様にしてペット用繊維敷物を得た。
【００６６】
＜実施例４＞
ジエチルトルアミド２５重量部、ジ−ｎ−ドデシルアジペート５重量部、ピペロニルブトキサイド８重量部、非イオン系界面活性剤（ソルビタン・モノ・ラウレート：ＨＬＢが８．６）５重量部、水５０重量部からなる水性液を、ウレタン樹脂（７重量部）で被覆してマイクロカプセル体Ｃを得た。このマイクロカプセル体Ｃの平均粒径は、８μｍであった。
【００６７】
一方、平均粒径４μｍのセバシン酸ジヒドラジド１５重量部と、平均粒径４μｍの活性アルミナ１０重量部と、平均粒径１μｍの酸化亜鉛１０重量部と、界面活性剤（ポリオキシエチレンアルキルエーテル：ＨＬＢが１３）５重量部とを、５０重量部の水に加えた後、攪拌機により攪拌を行い、分散液を得た。この分散液にさらに１０重量部のアクリル樹脂（バインダー樹脂：Ｔｇが−３７℃）を加え、良く攪拌して均一な分散液を得た。この分散液１００重量部に、更に上記マイクロカプセル体Ｃを５重量部添加分散させて、処理剤を得た。この処理液を、繊維敷物Ａに対してスプレー法により処理（１ｍ2 当たり５０ｇをスプレー塗布）を行った後、１３０℃で１０分間乾燥を行い、ペット用繊維敷物を得た。
【００６８】
＜実施例５〜９＞
表に示す構成からなる処理剤を用いて表に示す条件で行った以外は、実施例４と同様にして、ペット用繊維敷物を得た。なお、実施例９のみスプレー法に代えて泡加工法により処理を行った。
【００６９】
【表１】
0004101974.tif 000002
【００７０】
【表２】
0004101974.tif 000003
【００７１】
【表３】
0004101974.tif 000004
【００７２】
【表４】
0004101974.tif 000005
【００７３】
＜比較例１＞
マイクロカプセル体Ｃ５重量部に代えて、ジエチルトルアミド１．２５重量部、ジ−ｎ−ドデシルアジペート０．２５重量部、ピペロニルブトキサイド０．４重量部からなる組成物（マイクロカプセル体による被覆なし）を防虫剤として用いた以外は、実施例４と同様にして繊維敷物を得た。
【００７４】
＜比較例２＞
セバシン酸ジヒドラジド１５重量部、活性アルミナ１０重量部および酸化亜鉛１０重量部に代えて、消臭剤としてコーヒー液抽出残さ３５重量部を用いた以外は、実施例４と同様にして繊維敷物を得た。
【００７５】
＜参照例＞
上記のような処理液による処理を行わなかった繊維敷物Ａ（即ち未加工繊維敷物）。
【００７６】
上記のようにして得られた各繊維敷物に対して、下記試験法に基づき評価を行った。
【００７７】
＜防ダニ性試験法＞
本試験法は、防ダニ加工製品自主基準作成委員会で規定された試験方法で１９９９年度中の導入が予定されているものであり、カーペット等がその対象とされている侵入阻止法に準拠したものである。
【００７８】
外径約９０ｍｍ、高さ約２０ｍｍのガラスシャーレＡ（２１）に生存ダニ数１００００匹（ヤケヒョウヒダニ）を含む量のダニ培地（２２）を均一に広げ、該ガラスシャーレＡ（２１）を直径１００ｍｍ以上の昆虫用粘着トラップ上に置く。前記ガラスシャーレＡ（２１）の中央部に外径約４５ｍｍ、高さ約１５ｍｍのガラスシャーレＢ（２３）を置く。このガラスシャーレＢ（２３）にその内径と同サイズに切り取った各繊維敷物試料（２４）を敷き込み、その中心に直径約１０ｍｍの範囲内に誘引用のダニ未接種培地（２５）０．０５ｇを置く。これを粘着トラップごと飽和食塩水の入った食品保存用プラスチック製容器（３００ｍｍ×２４０ｍｍ×１００ｍｍ、内容量約５Ｌ、本体がポリプロピレン、蓋がポリエチレン製）に入れ密閉する。
【００７９】
次に、前記食品保存用プラスチック製容器を全暗状態の恒温器中に静置し、容器内が２５±１℃、７５±５％Ｒ．Ｈ．を維持している状態で２４±１時間放置の後、誘引ダニ（試験試料、ダニ未接種培地、ガラスシャーレＢの内壁部分にいるダニを対象とする）の全生存ダニ数を計数する。
【００８０】
なお、各試料につきそのサンプル数を５個とし、即ち各試料につき５回試験を行い、その平均値を忌避率（％）とした。
【００８１】
ダニ忌避率（％）＝（Ｘ−Ｙ）÷Ｘ×１００
Ｘ…未加工試料区の全生存ダニ数
Ｙ…加工試料区の全生存ダニ数
【００８２】
＜防ダニ効果の持続性試験法＞
試験試料を８１℃で４８時間加熱処理を行った後、同様に前記防ダニ性試験法に基づいてその忌避率（％）を求めた。
【００８３】
＜防蚊性試験法＞
（財）日本環境衛生センターによる係留忌避効力試験法に準拠して行った。即ち、立方体形状のナイロンハーフ製ケージ（３０×３０×３０ｃｍ）内の相互に向き合う２つの側面のうちの一方の内面に２５×２５ｃｍ角に裁断した繊維敷物試料を固定する一方、もう一方の側面の内面に前記参照例に係る未加工繊維敷物（２５×２５ｃｍ角）を固定する。このケージの中に羽化後７日程度で交尾を終えた蚊の雌成虫３０匹を放ち、前記繊維敷物試料上に静止する蚊を計数し、下記算出式より蚊の忌避率（％）を求めた。なお、この試験は温度２５±２℃、湿度７０〜８０％Ｒ．Ｈ．の条件下で行うものとし、また餌として２％の砂糖水を与えた。
【００８４】
蚊忌避率（％）＝（Ｘ−Ｙ）÷Ｘ×１００
Ｘ…未加工試料区（参照例に係る未加工繊維敷物）の静止蚊数
Ｙ…加工試料区（繊維敷物試料）の静止蚊数
【００８５】
＜消臭性能試験法＞
（アンモニア消臭性能）
各繊維敷物から切り出した試験片（１０×１０ｃｍ角）を、内容量３Ｌの袋内に入れた後、袋内において濃度が２００ｐｐｍとなるようにアンモニアガスを注入した。注入してから４０分経過後にアンモニアガスの残存濃度を測定し、この測定値より、各繊維敷物試験片がアンモニアガスを吸着除去した総量を算出し、これよりアンモニアガスの消臭率（％）を計算した。
【００８６】
（トリメチルアミン消臭性能）
各繊維敷物から切り出した試験片（１０×１０ｃｍ角）を、内容量３Ｌの袋内に入れた後、袋内において濃度が６０ｐｐｍとなるようにトリメチルアミンガスを注入した。注入してから２４０分経過後にトリメチルアミンガスの残存濃度を測定し、この測定値より各繊維敷物試験片がトリメチルアミンガスを吸着除去した総量を算出し、これよりトリメチルアミンガスの消臭率（％）を計算した。
【００８７】
（硫化水素消臭性能）
各繊維敷物から切り出した試験片（１０×１０ｃｍ角）を、内容量３Ｌの袋内に入れた後、袋内において濃度が２０ｐｐｍとなるように硫化水素ガスを注入した。注入してから４０分経過後に硫化水素ガスの残存濃度を測定し、この測定値より、各繊維敷物試験片が硫化水素ガスを吸着除去した総量を算出し、これより硫化水素ガスの消臭率（％）を計算した。
【００８８】
（メチルメルカプタン消臭性能）
各繊維敷物から切り出した試験片（１０×１０ｃｍ角）を、内容量３Ｌの袋内に入れた後、袋内において濃度が６０ｐｐｍとなるようにメチルメルカプタンガスを注入した。注入してから４０分経過後にメチルメルカプタンガスの残存濃度を測定し、この測定値より、各繊維敷物試験片がメチルメルカプタンガスを吸着除去した総量を算出し、これよりメチルメルカプタンガスの消臭率（％）を計算した。
【００８９】
＜消臭性能の持続耐久性試験法＞
各繊維敷物に洗濯を３回施し、自然乾燥後に前記と同様にして消臭性能試験を行い、消臭性能の持続率（％）を下記計算式より算出した。前記４種のガスごとに持続率を算出し、これらの値の平均値を求めた。
【００９０】
持続率（％）＝（洗濯後の総吸着量）÷（洗濯前の総吸着量）×１００
＜風合い評価法＞
得られた繊維敷物（加工処理後）と、加工処理前の繊維敷物のそれぞれに手で触れ、その時の両者における繊維敷物の風合い（硬さ）の相違度合いを下記判定基準に基づき評価した。
【００９１】
（判定基準）
「○」…風合いの相違がほとんど感じられない
「△」…風合いの相違が少し認識される
「×」…風合いの相違が大きい
【００９２】
【表５】
0004101974.tif 000006
【００９３】
【表６】
0004101974.tif 000007
【００９４】
表から明らかなように、この発明の実施例１〜９のペット用繊維敷物は、高い虫忌避率が得られる上に、その虫忌避効果の持続耐久性にも優れると共に、消臭性能にも優れ、かつ消臭性能は十分な持続耐久性を有していた。加えて、これらのペット用繊維敷物は優れた風合いを具備していた。
【００９５】
これに対し、比較例１、２では、虫忌避率が低い上にその持続耐久性に劣っており、また消臭性能及びその持続耐久性についても十分ではなかった。
【００９６】
【発明の効果】
以上のように、この発明の消臭機能と防虫機能を併有するペット用繊維敷物は、防虫剤としてジエチルトルアミドを用い、消臭剤としてアミン化合物またはアミン化合物と無機物質の両方を用いているから、消臭剤と防虫剤とが互いに干渉し合うことがなく、それ本来の優れた消臭性能および防虫性能を発揮させることができる。また、アミン化合物の粒径が１０μｍ以下であるから、ざらつき感を受けることもなく、風合いも良好である。更に、バインダー樹脂のガラス転移点が−３０℃以下であるので、優れた風合いを確保することができる。かつ樹脂のガラス転移点が−３０℃以下であるから、繊維敷物構成糸との固着性に優れて消臭剤、防虫剤の繊維敷物からの離脱を効果的に防止できるので、消臭性能および防虫性能の持続耐久性にも優れている。
【００９７】
また、消臭剤として無機物質を併用する場合には、アミン化合物では除去効率が十分でない例えばアンモニア等の臭気の消臭も十分に行うことができる。即ち、アミン化合物と無機物質が相補う形となってペットに起因した多種類の臭気の殆どを効率良く消臭することができる。
【００９８】
マイクロカプセル体が、その殻体内にジエチルトルアミドに加えて、可塑剤、テルペノイド類及びテルペノイド類誘導体からなる群より選ばれる１種または２種以上のキャリア剤を内包してなる場合には、キャリア剤の併存により防虫剤であるジエチルトルアミドの蒸散移行を促進させることができ、ひいては繊維敷物においてより高い防虫効果を発揮させることができる。かつ、その優れた防虫効果をより長期間にわたって発揮させることができる。
【００９９】
マイクロカプセル体におけるジエチルトルアミド／キャリア剤の混合比率が重量比で５／１〜５／５の範囲である場合には、低コストで一層優れた防虫効果を得ることができる。
【０１００】
アミン化合物が、水に対する溶解度が２５℃において５ｇ／Ｌ以下であるヒドラジン誘導体からなる群より選ばれる１種または２種以上の化合物である場合には、一層優れた消臭性能を確保できるのみならず、洗浄等の水に対する十分な耐水性を付与させることができて一層長期に亘って優れた消臭性能を確保することができる。
【０１０１】
バインダー樹脂１００重量部に対して、ジエチルトルアミドの含有量が５〜５０重量部であり、消臭剤の含有量が２０〜５００重量部である場合には、バインダー樹脂としての機能（固着性等）を十分に確保しつつ、より一層優れた消臭性能及びより一層優れた防虫性能を得ることができる。
【０１０２】
ジエチルトルアミドが０．１〜１５ｇ／ｍ2 の割合で付与され、かつ前記消臭剤が５〜３０ｇ／ｍ2 の割合で付与されてなる場合には、コストを増大させることなく、優れた消臭性能及び優れた防虫性能を確保できる。
【０１０３】
マイクロカプセル体に内包される組成物の構成成分として共力剤が含有されている場合には、ジエチルトルアミドの蒸散移行を一段と促進できるので、一段と優れた防虫効果を得ることができる。
【０１０４】
上記共力剤がピペロニルブトキサイドである場合には、ジエチルトルアミドの蒸散移行をより一段と促進できる。
【０１０５】
また、この発明のペット用繊維敷物の製造方法によれば、処理剤中に、特定粒径の特定の消臭剤、特定の防虫剤および特定のバインダー樹脂を含有せしめているから、風合いに優れると共に、消臭性能及び防虫性能に優れ、かつその効果の持続耐久性に優れた繊維敷物を提供することができる。また、既に敷物形態に構成されたものに後工程として消臭、防虫加工を施すものであるから、極めて汎用性に優れている。更に、消臭加工と防虫加工を１液で同時に行うことができる方法であるから、生産性に優れると共に、低コストで行える利点がある。
【０１０６】
消臭剤として、アミン化合物と共に無機物質を併用する場合には、ペットに起因した多種類の臭気の殆どを効率良く消臭できる繊維敷物を提供できる。
【０１０７】
処理剤による繊維敷物の処理をスプレー法により行う場合には、生産性を一層向上させることができる。
【図面の簡単な説明】
【図１】この発明の一実施形態にかかるペット用繊維敷物を示す断面図である。
【図２】防ダニ性試験方法を説明するための断面図である。
【符号の説明】
１…ペット用繊維敷物
２…パイル層
３…カーペット基材
【図１】
0004101974.tif 000008
【図２】
0004101974.tif 000009